(57)【要約】【目的】地域外の放送が受信できて、チャンネル番号が複数の放送で重複してしまうような場合でも問題なく所望の放送を受信することができるディジタル放送受信装置を提供する。【構成】ＣＰＵ１３はチューナ２に地上ディジタル放送のスキャン処理を実行させ、このスキャンによって検出された放送に多重されている放送情報に基づいてその放送とチャンネル番号とを対応付けたテーブルを作成してメモリ１４に格納する。また、ＣＰＵ１３は、ユーザがリモコン送信機１０の操作によって入力したチャンネル番号に対応する放送を選局する処理を行なう。そして、ＣＰＵ１３は、前記チャンネル番号が複数の放送で重複している場合に当該チャンネル番号に互いに異なる枝番号を付すことで前記重複する放送を区別し、ユーザの枝番号入力によっていずれかの放送を選局すると共に、所定時間経過しても枝番号入力が無いときには、所定枝番号の放送を自動受信する。【選択図】                図１
2004343235.tif 000002
【特許請求の範囲】
【請求項１】
地上ディジタル放送局から送信されている放送をスキャンする手段と、前記スキャンによって検出された放送に多重されている情報に基づいてその放送とチャンネル番号とを対応付ける手段と、ユーザによって入力されたチャンネル番号に対応する放送を選局する手段と、を備えたディジタル放送受信装置において、
前記チャンネル番号が複数の放送で重複している場合に当該チャンネル番号に互いに異なる枝番号を付すことで前記重複する放送を区別する手段と、ユーザ操作で入力された枝番号に対応する放送を選局する手段と、前記選局を行った際にその枝番号を記憶する記憶手段と、前記重複するチャンネル番号が入力された後に時間計測を行う時間計測手段と、前記時間計測手段にて所定時間の経過を計測しても前記枝番号の入力が検出されない場合に前記記憶手段に記憶されている枝番号の放送の選局を行わせる制御手段と、を備えたことを特徴とするディジタル放送受信装置。
【請求項２】
請求項１に記載のディジタル放送受信装置において、前記時間計測手段にて所定時間の経過を計測しても前記枝番号の入力が検出されない場合で且つ前記記憶手段に枝番号が記憶されていない場合にユーザに枝番号の入力を促す表示を行う手段を備えたことを特徴とするディジタル放送受信装置。
【請求項３】
請求項１に記載のディジタル放送受信装置において、前記時間計測手段にて所定時間の経過を計測しても前記枝番号の入力が検出されない場合で且つ前記記憶手段に枝番号が記憶されていない場合に予め決められている基準枝番号の放送を選局するように構成されたことを特徴とするディジタル放送受信装置。
【発明の詳細な説明】
【０００１】
【産業上の利用分野】
この発明は、ディジタル放送を受信するディジタル放送受信装置に関する。
【０００２】
【従来の技術】
衛星や地上波を用いたディジタル放送を受信するディジタル放送受信装置は、衛星アンテナや地上波アンテナを通して受け取った複数の放送波のなかから任意の放送波をディジタルチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
ところで、このようなディジタル放送では、放送事業者ごとにキー（ワンタッチキー，プリセットキー等）を割り当て、当該割当キーを操作することでダイレクトに所望の放送事業者のチャンネルを選択できるようにすることが考えられている。これに関する従来技術としては、所定の釦に対応して割り当てられている一つの放送事業者の複数のチャンネルのなかから一つのチャンネルを選局するものがある（特許文献１参照）。
【０００４】
また、地上ディジタル放送では、放送波に放送情報（地域識別子，サービス種別，放送局識別，サービス番号）が多重されており、下記の計算式によって３桁のチャンネル番号を算出して各放送に割り当てる手法が用いられる。
【０００５】
３桁番号＝（サービス種別×２００）＋（リモコンキーＩＤ×１０）＋サービス番号＋１
【０００６】
放送情報  ：放送局から送信される電波に多重されており、受信機側ではこれをもとに、その放送局の各種属性を判断する。
地域識別子：放送と地域の対応付けを行うためのもので、受信機側では、設置場所を特定するために設定された値と地域識別子とを比較し、その放送がこの地域向けの放送であるか否かを判断する。
サービス種別：０〜７
その放送がテレビ型のサービスを行っているのか、データ型の放送を行っているのか等を示す。
リモコンキーＩＤ：０〜１２
その地域内において放送局ごとに付された番号で、リモコンのワンタッチキーへの割り当てにも使われる。地域内でユニークであるが、他の地域では同じ番号が使われている可能性がある。
サービス番号：０〜７
放送局が複数の放送を運用している場合に、放送局が識別のために設定する番号。
【０００７】
【特許文献１】
特開平１０−１４９４５１号公報
【０００８】
【発明が解決しようとする課題】
しかしながら、地上ディジタル放送の受信装置においては、設置される場所によってはその地域外の放送が受信される可能性があるため、上記計算式で算出された３桁番号が複数の放送で重複してしまうケースがあり得る。従って、ユーザが選局のために３桁のチャンネル番号を入力しても、どちらの放送が選局されるかが不明となる。
【０００９】
この発明は、上記の事情に鑑み、地域外の放送が受信できて、チャンネル番号が複数の放送で重複してしまうような場合でも問題なく所望の放送を受信することができるディジタル放送受信装置を提供することを目的とする。
【００１０】
【課題を解決するための手段】
この発明のディジタル放送受信装置は、上記課題を解決するために、地上ディジタル放送局から送信されている放送をスキャンする手段と、前記スキャンによって検出された放送に多重されている情報に基づいてその放送とチャンネル番号とを対応付ける手段と、ユーザによって入力されたチャンネル番号に対応する放送を選局する手段と、を備えたディジタル放送受信装置において、前記チャンネル番号が複数の放送で重複している場合に当該チャンネル番号に互いに異なる枝番号を付すことで前記重複する放送を区別する手段と、ユーザ操作で入力された枝番号に対応する放送を選局する手段と、前記選局を行った際にその枝番号を記憶する記憶手段と、前記重複するチャンネル番号が入力された後に時間計測を行う時間計測手段と、前記時間計測手段にて所定時間の経過を計測しても前記枝番号の入力が検出されない場合に前記記憶手段に記憶されている枝番号の放送の選局を行わせる制御手段と、を備えたことを特徴とする。
【００１１】
上記の構成であれば、チャンネル番号が互いに重複する複数の放送の各々に異なる枝番号が付される。そして、重複するチャンネル番号の入力が行なわれて所定時間が経過したときには、前回選局した枝番号の放送が自動的に選局されることになる。
【００１２】
前記時間計測手段にて所定時間の経過を計測しても前記枝番号の入力が検出されない場合で且つ前記記憶手段に枝番号が記憶されていない場合にユーザに枝番号の入力を促す表示を行う手段を備えてもよい。また、前記時間計測手段にて所定時間の経過を計測しても前記枝番号の入力が検出されない場合で且つ前記記憶手段に枝番号が記憶されていない場合に予め決められている基準枝番号の放送を選局するように構成されていてもよい。
【００１３】
【発明の実施の形態】
以下、この発明の実施形態のディジタル放送受信装置を図１乃至図６に基づいて説明する。
【００１４】
図１において、地上アンテナ１は屋外において所定の方向に向けて配置されており、地上ディジタル放送信号を受信する。この地上アンテナ１は受信した信号を地上波ディジタルチューナ２に与える。
【００１５】
地上波ディジタルチューナ２は、映像・音声データを含む高周波ディジタル変調信号のうちから特定周波数の信号を取り出す。また、地上波ディジタルチューナ２は、復調回路、逆インタリーブ回路、誤り訂正回路などを備え、選択したディジタル変調信号を復調してトランスポート・ストリームを出力する。
【００１６】
デマルチプレクサ（ＤＥＭＵＸ）３は、前記トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）や放送情報（地域識別子，サービス種別，放送局識別，サービス番号）に分離する。デマルチプレクサ３は、ビデオストリームとオーディオストリームをＡＶデコーダ４に供給し、ＰＳＩ／ＳＩや放送情報等をＣＰＵ１３に供給する。
【００１７】
ＡＶデコーダ４は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００１８】
映像処理回路５はＡＶデコーダ４から映像データを受け取ってＤ／Ａ変換を行い、例えばコンポジット映像信号に変換する。音声処理回路６はＡＶデコーダ４から出力された音声データを受け取ってＤ／Ａ変換を行い、例えば右（Ｒ）音のアナログ信号及び左（Ｌ）音のアナログ信号を生成する。
【００１９】
映像出力回路７及び音声出力回路８は出力抵抗や増幅器等を備えて成る。ＡＶ出力端子９には、出力部（左右音声出力端子等や映像出力端子等のセット）が設けられており、この出力部には、映像／音声コード１７によってＣＲＴ１６ａ及びスピーカ１６ｂを備えるモニタ１６が接続される。
【００２０】
ＯＳＤ（オンスクリーンディスプレイ）回路１２は、ＣＰＵ１３から出力指示された文字情報や色情報に基づく映像データを加算器２０に出力する。加算器２０は前記映像データをＡＶデコーダ４から出力される受信映像データに組み込む処理を行う。上記ＯＳＤ回路１２により、メニュー画面や各種設定画面などの表示が行えることになる。
【００２１】
リモコン送信機１０は、図２に示しているように、各種のキーを備えて当該放送受信装置３０に各種指令を送出するものであり、前記キーを操作すると、そのキーに対応した指令を意味する信号光（リモコン信号）が発光部から送出される。リモコン受光器１１は、前記信号光を受光し、これを電気信号に変換してＣＰＵ１３に与える。なお、この実施形態においては、リモコン送信機１０に設けた「１」乃至「１２」の数字が表記されたキーをワンタッチキーとし、各ワンタッチキーに放送が割り当てられるようにしている。また、リモコン送信機１０の「数字入力」キーを操作したときには、引き続いて３桁分のキー操作を行なうことでチャンネル番号入力による選局が行なえるようにしている。
【００２２】
メモリ（例えば、ＲＡＭ、ＥＥＰＲＯＭ、フラッシュメモリ等）１４には、ＥＰＧ画面を表示するための情報、チャンネルテーブル（周波数情報や放送局名等をリモコンキーＩＤやチャンネル番号に対応させたチャンネルリスト）、全国の各地域における放送とリモコンキーＩＤとを対応付けたデータベース、等が格納される。
【００２３】
ＣＰＵ１３は、このディジタル放送受信装置３０における全体制御を行うものであるが、特にこの発明にかかる処理として、チャンネルスキャン処理、このスキャンでの放送情報の取得処理、ワンタッチキーの割当処理、ワンタッチキー操作に対する選局処理、チャンネルテーブルの内容のＯＳＤ表示処理、３桁番号入力に対する選局処理等を行う。
【００２４】
ディジタル放送受信装置３０は、通常、起動時（あるいは設置時に１回のみ）に対象となる周波数帯をスキャンして受信可能な放送を検出する処理を行い、各放送に多重されている放送情報を取得し、前述した計算式によりその放送の選局に必要な情報とチャンネル番号との対応付けを行ってチャンネルテーブルを作成し、このチャンネルテーブルをメモリ１４に格納する。この際、算出されたチャンネル番号が複数の放送で重複しているかどうかを判定し、重複していない放送にはチャンネル番号に枝番は付与せず、重複している放送には０，１，２，…のごとく順に枝番を付していく（割り当てていく）。また、枝番号記憶エリアの初期値を例えば８ビットで「ＦＦ」としておくこととし、「ＦＦ」のままであれば枝番号付与無しであると判断することができる。勿論、枝番号記憶エリアの初期値を例えば８ビットで「００」としておくこととし、「００」のままであれば枝番号付与無しであり、「０１」以降が重複有りを示すこととしてもよい。なお、図３（ａ）に示すチャンネル一覧では、××ディジタル放送と○○ディジタルテレビのチャンネル番号が重複している。そして、××ディジタル放送には枝番０が付され、○○ディジタルテレビには枝番１が付されている。
【００２５】
ユーザが上記のチャンネル一覧を見るためには、リモコン送信機１０による入力操作を行う。例えば、リモコン送信機１０の「メニュー」キー等を押すことになる。このキー操作を受けてＣＰＵ１３はメモリ制御信号を出力し、メモリ１４からチャンネルテーブルをメモリデータとして取り出す。そして、チャンネルテーブルに従ったチャンネル一覧表示となるＯＳＤ映像信号をＯＳＤ表示回路１２によって作成させる。作成されたＯＳＤ映像信号は映像処理回路５から出力される受信映像にスーパーインポーズされ、映像出力回路７を経て出力される。これにより、図３（ａ）に示したように、画面上にチャンネル一覧のオンスクリーン表示がなされることになる。
【００２６】
ユーザがチャンネル番号を入力して選局を行うときは、リモコン送信機１０を操作して必要な入力処理を行う。具体的にはリモコン送信機１０の「数字入力」及び「１」〜「０」のキーを押すことになる。まず、「数字入力」キーが押された時点で、ＣＰＵ１３は図４（ａ）に示すような３桁入力枠をオンスクリーン表示する。続けて「１」〜「０」のテンキーが押されると、ＣＰＵ１３は、それを１桁ずつ表示しながら、３桁入力が完了した時点で、入力された３桁入力に対応する放送の選局情報を前述のチャンネルテーブルから取得し、これに従ってチューナ制御信号を出力して指定されたチャンネルを選局させるように動作する。
【００２７】
ここで、入力されたチャンネル番号に対応付けされている放送が前記チャンネルテーブルの中に複数個存在した場合は、そのままではどちらを選局すればよいのか不明であるので、ＣＰＵ１３は図４（ｂ）に示すように、その旨を表すメッセージをオンスクリーン表示させるとともに、前記３桁入力枠を枝番入力用の入力枠に変更する。ユーザは前述のチャンネル一覧を参考にして枝番をリモコン送信機１０のテンキーを操作して入力する。ＣＰＵ１３は枝番を示すリモコン信号を受けることで放送を特定し、チューナを制御して指定された放送を選局する。図３（ａ）に例示したチャンネル一覧であれば、枝番として０キーを操作すると、××ディジタル放送が選局され、１キーを操作すると、○○ディジタルテレビが選局されることになる。
【００２８】
また、図５（ａ）（ｂ）に示すように、３桁入力が完了した時点で、重複を表すメッセージと共に、入力されたチャンネル番号に対応付けされている複数の放送を全て一覧表示するようにしてもよい。ユーザはこの一覧表示を見て、所望の放送の表記部分をリモコン送信機１０の矢印キーを操作することで色変わりさせ（カーソル移動させ）、「決定」キーで決定するか、或いは、一覧表の左端に表示された枝番号と同じ数字キーを押下することで決定することができる。
【００２９】
ＣＰＵ１３は枝番号の入力に基づいて重複するチャンネル番号の一つの放送を選局する処理を実行した場合、当該チャンネル番号について前記枝番号がユーザによって選択されたこと（前回枝番号情報）をメモリ１４に記憶しておく。また、ＣＰＵ１３は枝番号の入力を促す表示（枝番入力用の入力枠や一覧表等）を行ったときに、タイマ２１に対して時間計測（例えば５秒）を指示する。そして、タイマ２１から時間経過を示す信号を受けても枝番号の入力を検出できなかったときには、当該チャンネル番号について前回枝番号情報がメモリ１４に格納されているかどうかを判断する。
【００３０】
▲１▼前回枝番号情報がメモリ１４に格納されている場合
ＣＰＵ１３は、メモリ１４から読み出した前回枝番号情報によって選局情報をチャンネルテーブルから読み出し、この選局情報によってチューナ２を制御して放送を受信する処理を行う。かかる場合、一度枝番号の入力を行えば、その後の枝番号入力要求に対して何の入力をしなくても、自動的に前回枝番号の放送を受信してくれることになり、ユーザの操作手間が軽減される。
【００３１】
▲２▼前回枝番号情報がメモリ１４に格納されていない場合
かかる場合に最も番号が若い枝番号を選択するようプログラムされているときには、最も番号が若い枝番号を選択する処理を行い、この選択された枝番号に基づいて選局処理を行う。最も番号が若い枝番号を基準番号とすることに限るものではなく、例えば、「０」の番号が付与されている放送を受信する処理（「０」の番号を基準とする）を行うようにしてもよいものである。どのような番号を基準とするかは、例えば、メニュー画面において「基準枝番号設定メニュー」を設けておき、かかるメニュー画面上で入力された番号や設定をメモリ１４に保持してその後の処理を利用するようにしてもよいし、そのような設定等がなければデフォルトの値を利用するようにすればよい。かかる構成でも、自動的に所定枝番号の放送を受信してくれることになり、ユーザの操作手間が軽減される。また、このような自動選局を行うほか、図４や図５に示した枝番号の入力を促す表示を継続する処理、或いは、表示形態を多少変化させて（例えば、メッセージ部分を点滅表示させたり色変わりさせる等）継続表示を行うようにしてもよい。この継続表示でユーザ入力された枝番号は、前回枝番号情報とされ、次回のチャンネル番号重複時の自動選局に利用される。
【００３２】
放送受信装置３０に対して、その設置場所を特定するための地域識別番号を受信装置３０のユーザ設定メニュー等の機能により設定することができる。また、放送受信装置３０は、リモコン送信機１０の１つのキーを押すだけでそこに割り当てられている放送を選局する機能（いわゆるワンタッチキー選局機能）を持っている。また、各放送をリモコン送信機１０のどのワンタッチキーに割り当てるべきかを示すリモコンキーＩＤは地域毎に定められており、受信装置３０は、全国の各地域における放送とリモコンキーＩＤの対応をデータベースとしてメモリ１４に格納している。受信装置３０は前述のスキャンを行った際に、放送情報からその放送の地域識別子や放送局識別を取り出し、地域識別子と受信装置３０に設定された地域識別番号とが合致する場合には、前記データベースからリモコンキーＩＤを参照し、それに対応するワンタッチキーをその放送受信のために割り当てる。もし、地域識別番号と地域識別子が合致しない放送が受信された場合は、その放送については空いているリモコンキーＩＤ（ワンタッチキー）を自動的に割り当てるようにしている。このようにして割り当てられた場合のワンタッチキー一覧を図３（ｂ）に例示する。ここで、元々は××ディジタル放送と○○ディジタルテレビのリモコンキーＩＤが重複していたのであるが、○○ディジタルテレビは地域外の放送であるため、空いているリモコンキーＩＤ（５）に対応付けを行い、ワンタッチキー５が割り当てられたものとなっている。そして、○○ディジタルにおけるチャンネル番号については、前記空いているリモコンキーＩＤ（５）が対応付けられたことにより、このリモコンキーＩＤに基づいた算出によって他のチャンネル番号とは重複しない別のチャンネル番号（００５）が割り当てられている。これにより、ユーザが○○ディジタルテレビをチャンネル番号の入力で選局しようとする場合、００５をキー入力すればよいことになり、地域外の放送が受信できる場合でも、放送選局の重複が生じないことになる。
【００３３】
【発明の効果】
以上説明したように、この発明によれば、地域外の放送が受信できて、チャンネル番号が複数の放送で重複してしまうような場合でも問題なく所望の放送を受信することができるという効果を奏する。
【図面の簡単な説明】
【図１】この発明の実施形態のディジタル放送受信装置を示したブロック図である。
【図２】リモコン送信機を示した平面図である。
【図３】同図（ａ）はチャンネル一覧表示画面の説明図であり、同図（ｂ）はワンタッチキー一覧画面の説明図である。
【図４】同図（ａ）はチャンネル番号の入力のための３桁入力枠が表示された画面を示した説明図であり、同図（ｂ）は枝番号の入力を促す画面の説明図である。
【図５】同図（ａ）はチャンネル番号の入力のための３桁入力枠が表示された画面を示した説明図であり、同図（ｂ）は放送の選択を促す画面の説明図である。
【符号の説明】
１    アンテナ
２    チューナ
３    デマルチプレクサ（ＤＥＭＵＸ）
４    ＡＶデコーダ
１２  ＯＳＤ回路
１３  ＣＰＵ
１４  メモリ
【図１】
2004343235.tif 000003
【図２】
2004343235.tif 000004
【図３】
2004343235.tif 000005
【図４】
2004343235.tif 000006
【図５】
2004343235.tif 000007